【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
送信の第１の部分中に第１の送信電力を使用し、前記送信の第２の部分中に第２の送信電力を使用することを決定することと、
前記第１の送信電力から前記第２の送信電力に変更することに関連する潜在的位相コヒーレンス損失を緩和することと、ここにおいて、前記潜在的位相コヒーレンス損失を緩和することが、前記送信において直交周波数領域多重化（ＯＦＤＭ）シンボルをブランキングすることを備える、
前記第１の送信電力を使用して前記送信の前記第１の部分を送信し、前記第２の送信電力を使用して前記送信の前記第２の部分を送信することとを備える、方法。
【請求項２】
前記潜在的位相コヒーレンス損失を緩和することが、前記送信のためにデジタル領域信号をアナログ領域信号に変換するより前に、前記デジタル領域信号中の１つまたは複数のリソース要素（ＲＥ）をブランキングすることを備える、請求項１に記載の方法。
【請求項３】
前記潜在的位相コヒーレンス損失を緩和することが、
１つまたは複数の他のＲＥの電力レベルをブーストすることをさらに備える、請求項２に記載の方法。
【請求項４】
前記１つまたは複数の他のＲＥの前記電力レベルをブーストすることが、前記デジタル領域信号を前記アナログ領域信号に変換するより前に、前記デジタル領域信号中の前記１つまたは複数のＲＥの電力レベルをブーストすることを備える、請求項３に記載の方法。
【請求項５】
前記電力レベルのインジケーションを送ることをさらに備える、請求項３に記載の方法。
【請求項６】
前記インジケーションがアップリンク（ＵＬ）制御信号を介して送られる、請求項５に記載の方法。
【請求項７】
前記ＵＬ制御信号をスケジュールするダウンリンク制御チャネルを受信することをさらに備える、請求項６に記載の方法。
【請求項８】
前記潜在的位相コヒーレンス損失を緩和することが、
前記送信においてデータを伝達するための低ピーク対平均電力比（ＰＡＰＲ）波形のＰＡＰＲよりも小さいかまたはそれに等しいＰＡＰＲをもつ、前記送信の復調基準信号（ＤＭＲＳ）のためのシーケンスを選択することを備える、請求項１に記載の方法。
【請求項９】
前記低ＰＡＰＲ波形が、離散フーリエ変換シングルキャリア直交周波数分割多重化（ＤＦＴ−ｓ−ＯＦＤＭ）波形とともにπ／２  ２位相シフトキーイング（π／２−ＢＰＳＫ）変調を使用する、請求項８に記載の方法。
【請求項１０】
前記低ＰＡＰＲ波形は、前記低ＰＡＰＲ波形が、周波数トーンのインターリーブされたセットを占有するか、またはそれにわたって直交カバーコードが適用される複数のＯＦＤＭシンボルを占有するとき、低ＰＡＰＲ特性が維持されることを可能にするための修正を使用する、請求項８に記載の方法。
【請求項１１】
無線リソース制御（ＲＲＣ）シグナリングと、
前記データを伝達するための変調およびコーディング方式（ＭＣＳ）と波形とのうちの少なくとも１つに基づく暗黙的決定との組合せに基づいて前記ＤＭＲＳのパターンおよびオーバーヘッドを導出することをさらに備える、請求項８に記載の方法。
【請求項１２】
前記送信の前記第１の部分が復調基準信号（ＤＭＲＳ）を備え、前記潜在的位相コヒーレンス損失を緩和することが、
前記第２の部分のための別の電力増幅器（ＰＡ）バックオフとは異なる前記第１の部分のためのＰＡバックオフを適用することを備える、請求項１に記載の方法。
【請求項１３】
前記送信の前記第１の部分が復調基準信号（ＤＭＲＳ）を備え、前記潜在的位相コヒーレンス損失を緩和することが、
ＤＭＲＳ電力と前記送信の前記第２の部分の電力との間の固定電力比を適用することを備える、請求項１に記載の方法。
【請求項１４】
前記ＤＭＲＳ電力と前記第２の部分の前記電力との間の前記固定電力比を適用することが、電力増幅器（ＰＡ）出力に残っている利用可能な電力ヘッドルームにかかわらず、前記ＤＭＲＳ電力と前記第２の部分の前記電力との間の前記固定電力比を適用することを備える、請求項１３に記載の方法。
【請求項１５】
ワイヤレス通信のための装置であって、
送信の第１の部分中に第１の送信電力を使用し、前記送信の第２の部分中に第２の送信電力を使用することを決定することと、
前記送信において直交周波数領域多重化（ＯＦＤＭ）シンボルをブランキングすることによって、前記第１の送信電力から前記第２の送信電力に変更することに関連する潜在的位相コヒーレンス損失を緩和することと、
前記第１の送信電力を使用して前記送信の前記第１の部分を送信し、前記第２の送信電力を使用して前記送信の前記第２の部分を送信することと
を行うように構成されたプロセッサと、
前記プロセッサに結合されたメモリとを備える、装置。
【手続補正２】
【補正対象書類名】明細書
【補正対象項目名】０１３８
【補正方法】変更
【補正の内容】
【０１３８】
[0151]特許請求の範囲は、上記で示された厳密な構成および構成要素に限定されないことを理解されたい。上記で説明された方法および装置の構成、動作および詳細において、特許請求の範囲から逸脱することなく、様々な修正、変更および変形が行われ得る。
以下に本願の出願当初の特許請求の範囲に記載された発明を付記する。
［Ｃ１］
ワイヤレス通信のための方法であって、
送信の第１の部分中に第１の送信電力を使用し、前記送信の第２の部分中に第２の送信電力を使用することを決定することと、
前記第１の送信電力から前記第２の送信電力に変更することに関連する潜在的位相コヒーレンス損失を緩和することと、
前記第１の送信電力を使用して前記送信の前記第１の部分を送信し、前記第２の送信電力を使用して前記送信の前記第２の部分を送信することとを備える、方法。
［Ｃ２］
前記潜在的位相コヒーレンス損失を緩和することが、前記送信において直交周波数領域多重化（ＯＦＤＭ）シンボルをブランキングすることを備える、Ｃ１に記載の方法。
［Ｃ３］
前記潜在的位相コヒーレンス損失を緩和することが、前記送信のためにデジタル領域信号をアナログ領域信号に変換するより前に、前記デジタル領域信号中の１つまたは複数のリソース要素（ＲＥ）をブランキングすることを備える、Ｃ１に記載の方法。
［Ｃ４］
前記潜在的位相コヒーレンス損失を緩和することが、
１つまたは複数の他のＲＥの電力レベルをブーストすることをさらに備える、Ｃ３に記載の方法。
［Ｃ５］
前記１つまたは複数の他のＲＥの前記電力レベルをブーストすることが、前記デジタル領域信号を前記アナログ領域信号に変換するより前に、前記デジタル領域信号中の前記１つまたは複数のＲＥの電力レベルをブーストすることを備える、Ｃ４に記載の方法。
［Ｃ６］
前記電力レベルのインジケーションを送ることをさらに備える、Ｃ４に記載の方法。
［Ｃ７］
前記インジケーションがアップリンク（ＵＬ）制御信号を介して送られる、Ｃ６に記載の方法。
［Ｃ８］
前記ＵＬ制御信号をスケジュールするダウンリンク制御チャネルを受信することをさらに備える、Ｃ７に記載の方法。
［Ｃ９］
前記潜在的位相コヒーレンス損失を緩和することが、
前記送信においてデータを伝達するための低ピーク対平均電力比（ＰＡＰＲ）波形のＰＡＰＲよりも小さいかまたはそれに等しいＰＡＰＲをもつ、前記送信の復調基準信号（ＤＭＲＳ）のためのシーケンスを選択することを備える、Ｃ１に記載の方法。
［Ｃ１０］
前記低ＰＡＰＲ波形が、離散フーリエ変換シングルキャリア直交周波数分割多重化（ＤＦＴ−ｓ−ＯＦＤＭ）波形とともにπ／２  ２位相シフトキーイング（π／２−ＢＰＳＫ）変調を使用する、Ｃ９に記載の方法。
［Ｃ１１］
前記低ＰＡＰＲ波形は、前記低ＰＡＰＲ波形が、周波数トーンのインターリーブされたセットを占有するか、またはそれにわたって直交カバーコードが適用される複数のＯＦＤＭシンボルを占有するとき、低ＰＡＰＲ特性が維持されることを可能にするための修正を使用する、Ｃ９に記載の方法。
［Ｃ１２］
無線リソース制御（ＲＲＣ）シグナリングと、
前記データを伝達するための変調およびコーディング方式（ＭＣＳ）と波形とのうちの少なくとも１つに基づく暗黙的決定との組合せに基づいて前記ＤＭＲＳのパターンおよびオーバーヘッドを導出することをさらに備える、Ｃ９に記載の方法。
［Ｃ１３］
前記送信の前記第１の部分が復調基準信号（ＤＭＲＳ）を備え、前記潜在的位相コヒーレンス損失を緩和することが、
前記第２の部分のための別の電力増幅器（ＰＡ）バックオフとは異なる前記第１の部分のためのＰＡバックオフを適用することを備える、Ｃ１に記載の方法。
［Ｃ１４］
前記送信の前記第１の部分が復調基準信号（ＤＭＲＳ）を備え、前記潜在的位相コヒーレンス損失を緩和することが、
ＤＭＲＳ電力と前記送信の前記第２の部分の電力との間の固定電力比を適用することを備える、Ｃ１に記載の方法。
［Ｃ１５］
前記ＤＭＲＳ電力と前記第２の部分の前記電力との間の前記固定電力比を適用することが、電力増幅器（ＰＡ）出力に残っている利用可能な電力ヘッドルームにかかわらず、前記ＤＭＲＳ電力と前記第２の部分の前記電力との間の前記固定電力比を適用することを備える、Ｃ１４に記載の方法。
［Ｃ１６］
ワイヤレスデバイスのためのワイヤレス通信のための方法であって、
第１の送信を送信するようにユーザ機器（ＵＥ）をスケジュールする第１の許可を送信することと、ここにおいて、前記ＵＥが、前記第１の送信の第１の部分中に第１の送信電力を使用することから前記第１の送信の第２の部分中に第２の送信電力に変更する、
前記第１の送信電力または前記第２の送信電力のうちの少なくとも１つのインジケーションを備える第２の送信を送信するように前記ＵＥをスケジュールする第２の許可を送信することと、
前記インジケーションに基づいて、前記ＵＥから前記第１の送信を受信することとを備える、方法。
［Ｃ１７］
前記インジケーションに基づいて、前記第１の送信電力を決定することと、
前記第１の送信と前記第１の送信電力とに基づいて、前記ＵＥに対するチャネル品質を推定することとをさらに備える、Ｃ１６に記載の方法。
［Ｃ１８］
前記第１の送信電力または前記第２の送信電力のうちの少なくとも１つの前記インジケーションを前記第２の送信中に含めるように前記ＵＥに指示することをさらに備える、Ｃ１６に記載の方法。
［Ｃ１９］
ワイヤレス通信のための装置であって、
送信の第１の部分中に第１の送信電力を使用し、前記送信の第２の部分中に第２の送信電力を使用することを決定することと、
前記第１の送信電力から前記第２の送信電力に変更することに関連する潜在的位相コヒーレンス損失を緩和することと、
前記第１の送信電力を使用して前記送信の前記第１の部分を送信し、前記第２の送信電力を使用して前記送信の前記第２の部分を送信することと
を行うように構成されたプロセッサと、
前記プロセッサに結合されたメモリとを備える、装置。
［Ｃ２０］
前記プロセッサが、前記送信において直交周波数領域多重化（ＯＦＤＭ）シンボルをブランキングすることによって前記潜在的位相コヒーレンス損失を緩和するように構成された、Ｃ１９に記載の装置。
［Ｃ２１］
前記プロセッサが、前記送信のためにデジタル領域信号をアナログ領域信号に変換するより前に、前記デジタル領域信号中の１つまたは複数のリソース要素（ＲＥ）をブランキングすることによって、前記潜在的位相コヒーレンス損失を緩和するように構成された、Ｃ１９に記載の装置。
［Ｃ２２］
前記プロセッサが、１つまたは複数の他のＲＥの電力レベルをブーストすることによって前記潜在的位相コヒーレンス損失を緩和するように構成された、Ｃ２１に記載の装置。
［Ｃ２３］
前記プロセッサが、前記デジタル領域信号を前記アナログ領域信号に変換するより前に、前記デジタル領域信号中の前記１つまたは複数のＲＥの前記電力レベルをブーストすることによって、前記１つまたは複数の他のＲＥの前記電力レベルをブーストするように構成された、Ｃ２２に記載の装置。
［Ｃ２４］
前記プロセッサが、
前記電力レベルのインジケーションを送るように構成された、Ｃ２２に記載の装置。
［Ｃ２５］
前記プロセッサが、アップリンク（ＵＬ）制御信号を介して前記インジケーションを送るように構成された、Ｃ２４に記載の装置。
［Ｃ２６］
前記プロセッサが、前記ＵＬ制御信号をスケジュールするダウンリンク制御チャネルを受信するように構成された、Ｃ２５に記載の装置。
［Ｃ２７］
前記プロセッサが、
前記送信においてデータを伝達するための低ピーク対平均電力比（ＰＡＰＲ）波形のＰＡＰＲよりも小さいかまたはそれに等しいＰＡＰＲをもつ、前記送信の復調基準信号（ＤＭＲＳ）のためのシーケンスを選択することによって前記潜在的位相コヒーレンス損失を緩和するように構成された、Ｃ１９に記載の装置。
［Ｃ２８］
前記低ＰＡＰＲ波形が、離散フーリエ変換シングルキャリア直交周波数分割多重化（ＤＦＴ−ｓ−ＯＦＤＭ）波形とともにπ／２  ２位相シフトキーイング（π／２−ＢＰＳＫ）変調を使用し、
前記プロセッサが、前記低ＰＡＰＲ波形を使用して前記送信の前記第１の部分および前記第２の部分のうちの少なくとも１つを送信するように構成された、Ｃ２７に記載の装置。
［Ｃ２９］
前記低ＰＡＰＲ波形は、前記低ＰＡＰＲ波形が、周波数トーンのインターリーブされたセットを占有するか、またはそれにわたって直交カバーコードが適用される複数のＯＦＤＭシンボルを占有するとき、低ＰＡＰＲ特性が維持されることを可能にするための修正を使用し、
前記プロセッサが、前記低ＰＡＰＲ波形を使用して前記送信の前記第１の部分および前記第２の部分のうちの少なくとも１つを送信するように構成された、Ｃ２７に記載の装置。
［Ｃ３０］
前記プロセッサが、
前記データを伝達するための変調およびコーディング方式（ＭＣＳ）と波形とのうちの少なくとも１つに基づく前記ＤＭＲＳのパターンおよび潜在的オーバーヘッドの暗黙的導出を決定することと、
無線リソース制御（ＲＲＣ）シグナリングと、
前記暗黙的導出と
の組合せに基づいて前記ＤＭＲＳの前記パターンおよび前記オーバーヘッドを導出することとを行うようにさらに構成された、Ｃ２７に記載の装置。
［Ｃ３１］
前記送信の前記第１の部分が復調基準信号（ＤＭＲＳ）を備え、前記プロセッサが、
前記第２の部分のための別の電力増幅器（ＰＡ）バックオフとは異なる前記第１の部分のためのＰＡバックオフを適用することによって前記潜在的位相コヒーレンス損失を緩和するように構成された、Ｃ１９に記載の装置。
［Ｃ３２］
前記送信の前記第１の部分が復調基準信号（ＤＭＲＳ）を備え、前記プロセッサが、
ＤＭＲＳ電力と前記送信の前記第２の部分の電力との間の固定電力比を適用することによって前記潜在的位相コヒーレンス損失を緩和するように構成された、Ｃ１９に記載の装置。
［Ｃ３３］
前記プロセッサが、電力増幅器（ＰＡ）出力に残っている利用可能な電力ヘッドルームにかかわらず、前記ＤＭＲＳ電力と前記第２の部分の前記電力との間の前記固定電力比を適用することによって、前記ＤＭＲＳ電力と前記第２の部分の前記電力との間の前記固定電力比を適用するように構成された、Ｃ３２に記載の装置。
［Ｃ３４］
ワイヤレス通信のための装置であって、
第１の送信を送信するようにユーザ機器（ＵＥ）をスケジュールする第１の許可を送信することと、ここにおいて、前記ＵＥが、前記第１の送信の第１の部分中に第１の送信電力を使用することから前記第１の送信の第２の部分中に第２の送信電力に変更する、
前記第１の送信電力または前記第２の送信電力のうちの少なくとも１つのインジケーションを備える第２の送信を送信するように前記ＵＥをスケジュールする第２の許可を送信することと、
前記インジケーションに基づいて、前記ＵＥから前記第１の送信を受信することと
を行うように構成されたプロセッサと、
前記プロセッサに結合されたメモリとを備える、装置。
［Ｃ３５］
前記プロセッサが、
前記インジケーションに基づいて、前記第１の送信電力を決定することと、
前記第１の送信と前記第１の送信電力とに基づいて、前記ＵＥに対するチャネル品質を推定することとを行うようにさらに構成された、Ｃ３４に記載の装置。
［Ｃ３６］
前記プロセッサが、
前記第１の送信電力または前記第２の送信電力のうちの少なくとも１つの前記インジケーションを前記第２の送信中に含めるように前記ＵＥに指示するようにさらに構成された、Ｃ３４に記載の装置。